(57)【要約】 本発明はタッチ式端末およびそのプロンプトボックスの位置決め方法を開示している。該方法は、スライドジェスチャーコマンドを受信し、予め設定された座標系に基づいてタッチパネルにおける当該スライドジェスチャーコマンドに対応した接触始点の座標を取得することと、プロンプトボックスが表示されると、プロンプトボックスのサイズに応じて、タッチパネルを複数のタッチ領域に分けることと、コンピュータの起動後スライドジェスチャーコマンドの受信回数Ｍを統計処理し、接触始点の座標に基づいて、タッチパネルにおけるＭ回にわたり受信したスライドジェスチャーコマンドに対応した接触始点が各タッチ領域に分布する回数を算出することと、プロンプトボックスを、タッチパネルにおける分布回数が最大のスライドジェスチャーコマンドに対応した接触始点のタッチ領域内に位置決めることと、を含む。本発明のタッチ式端末およびそのプロンプトボックスの位置決め方法により、プロンプトボックスをタッチパネルにおけるタッチ対象領域に位置決めることができ、これにより、ユーザが、タッチスライド操作を行うとき、手首を起こす必要がなくなり、また、タッチ式端末の片手持ちに伴うタッチスライド操作を実現することができ、ユーザの体験効果を向上させる。
2016509327.tif 000002
【特許請求の範囲】
【請求項１】
スライドジェスチャーコマンドを受信し、予め設定された座標系に基づいて、タッチパネルにおける当該スライドジェスチャーコマンドに対応した接触始点の座標を取得することと、
プロンプトボックスが表示されると、プロンプトボックスのサイズに応じて、タッチパネルを複数のタッチ領域に分けることと、
コンピュータの起動後スライドジェスチャーコマンドの受信回数Ｍを統計処理し、タッチパネルにおける受信ごとのスライドジェスチャーコマンドに対応した接触始点の座標に基づいて、タッチパネルにおけるＭ回にわたり受信したスライドジェスチャーコマンドに対応した接触始点が各タッチ領域に分布する回数を算出することと、
前記プロンプトボックスを、タッチパネルにおける分布回数が最大のスライドジェスチャーコマンドに対応した接触始点のタッチ領域内に位置決めることと、を含むタッチ式端末のプロンプトボックスの位置決め方法。
【請求項２】
コンピュータの起動後スライドジェスチャーコマンドの受信回数Ｍを統計処理し、タッチパネルにおける毎回のスライドジェスチャーコマンドに対応した接触始点の座標に基づいて、タッチパネルにおけるスライドジェスチャーコマンドに対応した接触始点が各タッチ領域に分布する回数を算出することは、具体的には、
コンピュータの起動後スライドジェスチャーコマンドの受信回数Ｍを統計処理し、Ｍが設定された閾値Ｎよりも大きい場合、タッチパネルにおける最近Ｎ回にわたり受信したスライドジェスチャーコマンドに対応した接触始点が各タッチ領域に分布する回数を算出することを含む、請求項１に記載のタッチ式端末のプロンプトボックスの位置決め方法。
【請求項３】
コンピュータの起動後スライドジェスチャーコマンドの受信回数Ｍを統計処理し、タッチパネルにおける毎回のスライドジェスチャーコマンドに対応した接触始点の座標に基づいて、タッチパネルにおけるスライドジェスチャーコマンドに対応した接触始点が各タッチ領域に分布する回数を算出することは、具体的には、
コンピュータの起動後スライドジェスチャーコマンドの受信回数Ｍを統計処理し、Ｍが設定された閾値Ｎ以下である場合、タッチパネルにおけるＭ回にわたり受信したスライドジェスチャーコマンドに対応した接触始点が各タッチ領域に分布する回数を算出することを含む、請求項１に記載のタッチ式端末のプロンプトボックスの位置決め方法。
【請求項４】
コンピュータの起動後スライドジェスチャーコマンドの受信回数Ｍを統計処理し、タッチパネルにおける受信ごとのスライドジェスチャーコマンドに対応した接触始点の座標に基づいて、タッチパネルにおけるＭ回にわたり受信したスライドジェスチャーコマンドに対応した接触始点が各タッチ領域に分布する回数を算出した後、
タッチパネルにおけるＭ回にわたり受信したスライドジェスチャーコマンドに対応した接触始点は、各タッチ領域における分布回数が同一である場合、前記プロンプトボックスを元の位置に位置決めることをさらに含む、請求項１ないし３のいずれか一項に記載のタッチ式端末のプロンプトボックスの位置決め方法。
【請求項５】
スライドジェスチャーコマンドを受信し、予め設定された座標系に基づいて、タッチパネルにおける当該スライドジェスチャーコマンドに対応した接触始点の座標を取得するように設けられた取得モジュールと、
プロンプトボックスが表示されると、プロンプトボックスのサイズに応じて、タッチパネルを複数のタッチ領域に分けるように設けられた分割モジュールと、
コンピュータの起動後スライドジェスチャーコマンドの受信回数Ｍを統計処理し、タッチパネルにおける受信ごとのスライドジェスチャーコマンドに対応した接触始点の座標に基づいて、タッチパネルにおけるＭ回にわたり受信したスライドジェスチャーコマンドに対応した接触始点が各タッチ領域に分布する回数を算出するように設けられた統計モジュールと、
前記プロンプトボックスを、タッチパネルにおける分布回数が最大のスライドジェスチャーコマンドに対応した接触始点のタッチ領域内に位置決めるように設けられた位置決めモジュールと、を含むタッチ式端末。
【請求項６】
前記統計モジュールが、具体的には、さらに、
コンピュータの起動後、スライドジェスチャーコマンドの受信回数Ｍを統計処理し、Ｍが設定された閾値Ｎよりも大きい場合、タッチパネルにおける最近Ｎ回にわたり受信したスライドジェスチャーコマンドに対応した接触始点が各タッチ領域に分布する回数を算出するように設けられている、請求項５に記載のタッチ式端末。
【請求項７】
前記統計モジュールが、具体的には、さらに、
コンピュータの起動後、スライドジェスチャーコマンドの受信回数Ｍを統計処理し、Ｍが設定された閾値Ｎ以下である場合、タッチパネルにおけるＭ回にわたり受信したスライドジェスチャーコマンドに対応した接触始点が各タッチ領域に分布する回数を算出するように設けられている、請求項５に記載のタッチ式端末。
【請求項８】
前記位置決めモジュールが、さらに、
タッチパネルにおけるＭ回にわたり受信したスライドジェスチャーコマンドに対応した接触始点は、各タッチ領域における分布回数が同一である場合、前記プロンプトボックスを元の位置に位置決めるように設けられている、請求項５ないし７のいずれか一項に記載のタッチ式端末。
【発明の詳細な説明】
【技術分野】
【０００１】
本発明は、通信技術分野に関し、特にタッチ式端末及びそのプロンプトボックスの位置決め方法に関するものである。
【背景技術】
【０００２】
タッチパネル入力方式は使用しやすいため、インテリジェント電子製品においてタッチパネル入力方式が普及してきている。
【０００３】
インテリジェント端末の急速な発展に伴い、スマートフォン等のインテリジェント端末が漸次大画面化しており、大画面のスマートフォン、タブレットパソコンのユーザもますます多くなっている。
【０００４】
現在のようなタッチ入力方式は、大画面のインテリジェント端末においてかなり使いにくく、例えば、大画面のインテリジェント端末の使用時、タッチ入力方式を用いると、手を絶えず動かしながら操作する必要があり、画面が大きいため、片手によるタッチ入力操作を実現することが困難である。
【０００５】
また、現在のタッチ式インテリジェント端末は、表示されたプロンプトボックを終了する場合、プロンプトボックスが通常、大画面の上半分に位置づけられ、大画面のタッチ式インテリジェント端末を使用すれば、ユーザは、手首を起こし、指を上半分に移動してクリック操作を行う必要があり、不便を強く感じる。
【発明の概要】
【発明が解決しようとする課題】
【０００６】
本発明の実施例によれば、ユーザが実際のニーズに応じて、プロンプトボックスをタッチパネルにおけるタッチ対象領域に位置決め、また、タッチスライド操作を行うとき、手首を起こす必要がなく、タッチ式端末の片手持ちに伴うタッチスライド操作を実現するタッチ式端末及びそのプロンプトボックスの位置決め方法を提供する。
【課題を解決するための手段】
【０００７】
本発明の実施例によると、
スライドジェスチャーコマンドを受信し、予め設定された座標系に基づいて、タッチパネルにおける当該スライドジェスチャーコマンドに対応した接触始点の座標を取得することと、
プロンプトボックスが表示されると、プロンプトボックスのサイズに応じて、タッチパネルを複数のタッチ領域に分けることと、
コンピュータの起動後スライドジェスチャーコマンドの受信回数Ｍを統計処理し、タッチパネルにおける受信ごとのスライドジェスチャーコマンドに対応した接触始点の座標に基づいて、タッチパネルにおけるＭ回にわたり受信したスライドジェスチャーコマンドに対応した接触始点が各タッチ領域に分布する回数を算出することと、
前記プロンプトボックスを、タッチパネルにおける分布回数が最大のスライドジェスチャーコマンドに対応した接触始点のタッチ領域内に位置決めることと、を含むタッチ式端末のプロンプトボックスの位置決め方法を提供する。
【０００８】
コンピュータの起動後スライドジェスチャーコマンドの受信回数Ｍを統計処理し、タッチパネルにおける毎回のスライドジェスチャーコマンドに対応した接触始点の座標に基づいて、タッチパネルにおけるスライドジェスチャーコマンドに対応した接触始点が各タッチ領域に分布する回数を算出することは、具体的には、
コンピュータの起動後スライドジェスチャーコマンドの受信回数Ｍを統計処理し、Ｍが設定された閾値Ｎよりも大きい場合、タッチパネルにおける最近Ｎ回にわたり受信したスライドジェスチャーコマンドに対応した接触始点が各タッチ領域に分布する回数を算出することを含むことが好ましい。
【０００９】
コンピュータの起動後スライドジェスチャーコマンドの受信回数Ｍを統計処理し、タッチパネルにおける毎回のスライドジェスチャーコマンドに対応した接触始点の座標に基づいて、タッチパネルにおけるスライドジェスチャーコマンドに対応した接触始点が各タッチ領域に分布する回数を算出することは、具体的には、
コンピュータの起動後スライドジェスチャーコマンドの受信回数Ｍを統計処理し、Ｍが設定された閾値Ｎ以下である場合、タッチパネルにおけるＭ回にわたり受信したスライドジェスチャーコマンドに対応した接触始点が各タッチ領域に分布する回数を算出することを含むことが好ましい。
【００１０】
コンピュータの起動後スライドジェスチャーコマンドの受信回数Ｍを統計処理し、タッチパネルにおける受信ごとのスライドジェスチャーコマンドに対応した接触始点の座標に基づいて、タッチパネルにおけるＭ回にわたり受信したスライドジェスチャーコマンドに対応した接触始点が各タッチ領域に分布する回数を算出することは、さらに、
タッチパネルにおけるＭ回にわたり受信したスライドジェスチャーコマンドに対応した接触始点は、各タッチ領域における分布回数が同一である場合、前記プロンプトボックスを元の位置に位置決めることを含む。
【００１１】
本発明の実施例によると、さらに、
スライドジェスチャーコマンドを受信し、予め設定された座標系に基づいて、タッチパネルにおける当該スライドジェスチャーコマンドに対応した接触始点の座標を取得するように設けられた取得モジュールと、
プロンプトボックスが表示されると、プロンプトボックスのサイズに応じて、タッチパネルを複数のタッチ領域に分けるように設けられた分割モジュールと、
コンピュータの起動後スライドジェスチャーコマンドの受信回数Ｍを統計処理し、タッチパネルにおける受信ごとのスライドジェスチャーコマンドに対応した接触始点の座標に基づいて、タッチパネルにおけるＭ回にわたり受信したスライドジェスチャーコマンドに対応した接触始点が各タッチ領域に分布する回数を算出するように設けられた統計モジュールと、
前記プロンプトボックスを、タッチパネルにおける分布回数が最大のスライドジェスチャーコマンドに対応した接触始点のタッチ領域内に位置決めるように設けられた位置決めモジュールと、を含むタッチ式端末を提供する。
【００１２】
前記統計モジュールは、具体的には、さらに、コンピュータの起動後、スライドジェスチャーコマンドの受信回数Ｍを統計処理し、Ｍが設定された閾値Ｎよりも大きい場合、タッチパネルにおける最近Ｎ回にわたり受信したスライドジェスチャーコマンドに対応した接触始点が各タッチ領域に分布する回数を算出するように設けられていることが好ましい。
【００１３】
前記統計モジュールは、具体的には、さらに、コンピュータの起動後、スライドジェスチャーコマンドの受信回数Ｍを統計処理し、Ｍが設定された閾値Ｎ以下である場合、タッチパネルにおけるＭ回にわたり受信したスライドジェスチャーコマンドに対応した接触始点が各タッチ領域に分布する回数を算出するように設けられていることが好ましい。
【００１４】
前記位置決めモジュールは、さらに、タッチパネルにおけるＭ回にわたり受信したスライドジェスチャーコマンドに対応した接触始点は、各タッチ領域における分布回数が同一である場合、前記プロンプトボックスを元の位置に位置決めるように設けられていることが好ましい。 
【００１５】
本発明の実施例により提供されるタッチ式端末及びそのプロンプトボックスの位置決め方法によれば、プロンプトボックスのサイズに応じて、タッチパネルを複数のタッチ領域に分け、コンピュータの起動からプロンプトボックスが表示されるまでのスライドジェスチャーコマンドの受信回数Ｍを算出するとともに、タッチパネルにおけるＭ回にわたり受信したスライドジェスチャーコマンドに対応した接触始点が各タッチ領域に分布する回数を算出することにより、前記プロンプトボックスを、タッチパネルにおける分布回数が最大のスライドジェスチャーコマンドに対応した接触始点のタッチ領域内に位置決めるようにし、プロンプトボックスをタッチパネルにおけるタッチ対象領域に位置決めることができ、これにより、ユーザがタッチスライド操作を行う時、手首を起こす必要がなくなり、また、タッチ式端末の片手持ちに伴うタッチスライド操作を実現することができ、操作しやすく、ユーザの体験効果を大いに向上させる。
【図面の簡単な説明】
【００１６】
【図１】本発明に係わるタッチ式端末のプロンプトボックスの位置決め方法の一実施例を示すフローチャートである。
【図２】本発明の実施例に係わるタッチ式端末におけるタッチパネル座標系を示す構成図である。
【図３】本発明に係わるタッチ式端末の一実施例を示す構成図である。
【発明を実施するための形態】
【００１７】
以下、実施例を結合して本発明の実施例の実現、機能と特徴及びメリットについて、図面を参照しながら説明する。
ここで説明する具体的な実施例は、本発明を限定する趣旨のものではなく、本発明に対する説明として与えられるにすぎないことが理解されるべきである。
【００１８】
図１を参照して、本発明に係わるタッチ式端末のプロンプトボックスの位置決め方法の一実施例を説明すると、本実施例は、以下のステップを含む。
スライドジェスチャーコマンドを受信し、予め設定された座標系に基づいて、タッチパネルにおける当該スライドジェスチャーコマンドに対応した接触始点の座標を取得する（ステップＳ１０１）。
【００１９】
本ステップに係わる座標系は、前記タッチ式端末に予め設定されたタッチパネル座標系を指し、図２を参照すると、タッチパネル座標系がＸＯＹであり、前記接触始点の座標は、即ち、前記タッチパネル座標系における座標である。
【００２０】
本ステップにおける上記スライドジェスチャーコマンドは、ユーザがタッチパネル上でタッチ動作を行うことにより、接触始点から一定の距離をスライドして形成されたものである。スライドした前記距離は、設定された閾値を超えなければならない。即ち、ユーザがタッチパネル上でタッチ動作を行うとき、タッチ式端末は、まず、タッチパネルにおいて当該タッチ動作が接触始点から一定の距離をスライドしているか否かを判定し、そうでなければ、一切応答せず、そうであれば、スライドした距離が設定された閾値に達している、またはそれを超えているか否かをさらに判定する。スライドした距離が設定された閾値に達しているまたは超えていれば、スライドジェスチャーコマンドが形成され、また、スライドした距離が設定された閾値に達していなければ、一切応答しない。
【００２１】
また、本ステップにおいて、前記接触始点とは、ユーザがタッチパネル上でタッチ動作を行う際の、タッチパネルにおける最初タッチ領域の中心点であり、例えば、最初タッチ領域が円形状であれば、対応した接触始点が円形状の最初タッチ領域における中心点である。
【００２２】
プロンプトボックスが表示されると、プロンプトボックスのサイズに応じて、タッチパネルを複数のタッチ領域に分ける（ステップＳ１０２）。
【００２３】
本ステップにおいて、タッチパネルを複数のタッチ領域に分けることは、具体的には、タッチパネルをＮ（Ｎ＝Ｎ１＊Ｎｗ）個のタッチ領域に分けることであり、ここで、Ｎｗ＝Ｓｗ／Ｒｗで、Ｎ１＝Ｓ１／Ｒ１であり、Ｓｗはスクリーンの幅を示し、Ｒｗはプロンプトボックスの幅を示し、Ｎｗはタッチパネル全体を上下方向に分けた領域の数を示すものであり、ＳｗをＲｗで割った整数がＮｗとなり、また、Ｓ１はスクリーンの長さを示し、Ｒ１はプロンプトボックスの長さを示し、Ｎ１はスクリーン全体を水平方向に分けた領域の数を示すものであり、Ｓ１をＲ１で割った整数がＮ１となる。ここで、タッチパネル座標系がＸＯＹであり、当該タッチパネルをＮ（Ｎ＝Ｎ１＊Ｎｗ）個の矩形状のタッチ領域に分けている。各タッチ領域は、一対の数字で示されることができ、例えば、タッチ領域Ｄが（ｘ，ｙ）で示されることができ、ここで、ｘ＞０且つｘ＜＝Ｎｗで、ｙ＞０且つｙ＜＝Ｎ１であり、例えば、タッチ領域Ｄ１が（１，１）で示され、タッチ領域Ｄ２が（１，２）で示され、タッチ領域Ｄｎが（Ｎ１，Ｎｗ）で示される。各タッチ領域における左上側の頂点の座標が（Ｒｗ（ｙー１），Ｒ１（Ｎ１−ｘ＋１））である。
【００２４】
コンピュータの起動後、スライドジェスチャーコマンドの受信回数Ｍを統計処理し、タッチパネルにおける受信ごとのスライドジェスチャーコマンドに対応した接触始点の座標を取得し、タッチパネルにおけるＭ回にわたり受信したスライドジェスチャーコマンドに対応した接触始点が各タッチ領域に分布する回数を算出する（ステップＳ１０３）。
【００２５】
本ステップにおいて、スライドジェスチャーコマンドに対応した接触始点の座標点の分布するタッチ領域に基づいて、各タッチ領域に複数分布するスライドジェスチャーコマンドに対応した接触始点を算出する。
【００２６】
本ステップＳ１０３は、具体的には、コンピュータの起動後、スライドジェスチャーコマンドの受信回数Ｍを統計処理し、Ｍが設定された閾値Ｎよりも大きい場合、タッチパネルにおける最近Ｎ回にわたり受信したスライドジェスチャーコマンドに対応した接触始点が各タッチ領域に分布する回数を算出し、また、Ｍが設定された閾値Ｎ以下である場合、タッチパネルにおけるＭ回にわたり受信したスライドジェスチャーコマンドに対応した接触始点が各タッチ領域に分布する回数を算出する処理を含む。
【００２７】
前記プロンプトボックスを、タッチパネルにおける分布回数が最大のスライドジェスチャーコマンドに対応した接触始点のタッチ領域内に位置決める（ステップＳ１０４）。
【００２８】
上述したタッチ式端末のプロンプトボックスの位置決め方法に関する実施例は、前記ステップＳ１０３の後、さらに、タッチパネルにおけるＭ回にわたり受信したスライドジェスチャーコマンドに対応した接触始点は、各タッチ領域における分布回数が同一である場合、前記プロンプトボックスを元の位置に位置決める処理を含むことが好ましい。
【００２９】
本実施例において、各タッチ領域に分布する、タッチパネルにおけるスライドジェスチャーコマンドに対応した接触始点が同一か異なっているものであり、異なっている場合、プロンプトボックスを、タッチパネルにおける分布回数が最大のスライドジェスチャーコマンドに対応した接触始点のタッチ領域内に位置決めており、また、同一である場合、前記プロンプトボックスを元の位置に位置決め、即ち、プロンプトボックスを元の位置に保持する。
【００３０】
本発明により提供されるタッチ式端末のプロンプトボックスの位置決め方法に関する実施例によれば、プロンプトボックスのサイズに応じて、タッチパネルを複数のタッチ領域に分け、コンピュータの起動からプロンプトボックスが表示されるまでのスライドジェスチャーコマンドの受信回数Ｍを算出するとともに、タッチパネルにおけるＭ回にわたり受信したスライドジェスチャーコマンドに対応した接触始点が各タッチ領域に分布する回数を算出することにより、前記プロンプトボックスを、タッチパネルにおける分布回数が最大のスライドジェスチャーコマンドに対応した接触始点のタッチ領域内に位置決めるようにし、プロンプトボックスをタッチパネルにおけるタッチ対象領域に位置決めることができ、これにより、ユーザが、タッチスライド操作を行うとき、手首を起こす必要がなくなり、また、タッチ式端末の片手持ちに伴うタッチスライド操作を実現することができ、操作しやすく、ユーザの体験効果を大いに向上させる。
【００３１】
以上の実施例におけるタッチ式端末は、タッチ式スマートフォン、タブレットパソコン等であってよい。
【００３２】
図３を参照して、本発明に係わるタッチ式端末１００の一実施例を提供し、前記タッチ式端末は、スライドジェスチャーコマンドを受信し、予め設定された座標系に基づいて、タッチパネルにおける当該スライドジェスチャーコマンドに対応した接触始点の座標を取得するように設けられた取得モジュール１１０と、プロンプトボックスが表示されると、プロンプトボックスのサイズに応じて、タッチパネルを複数のタッチ領域に分けるように設けられた分割モジュール１２０と、コンピュータの起動後、スライドジェスチャーコマンドの受信回数Ｍを統計処理し、タッチパネルにおける受信ごとのスライドジェスチャーコマンドに対応した接触始点の座標に基づいて、タッチパネルにおけるＭ回にわたり受信したスライドジェスチャーコマンドに対応した接触始点が各タッチ領域に分布する回数を算出するように設けられた統計モジュール１３０と、前記プロンプトボックスを、タッチパネルにおける分布回数が最大のスライドジェスチャーコマンドに対応した接触始点のタッチ領域内に位置決めるように設けられた位置決めモジュール１４０と、を含む。
【００３３】
本実施例に係わる座標系は、タッチ式端末に予め設定されたタッチパネル座標系を指し、図２を参照すると、タッチパネル座標系がＸＯＹであり、前記接触始点の座標は、即ち、前記タッチパネル座標系における座標である。
【００３４】
本実施例におけるスライドジェスチャーコマンドは、ユーザがタッチパネル上でタッチ動作を行うことにより、接触始点から一定の距離をスライドして形成されたものである。スライドした前記距離は、設定された閾値を超えなければならない。即ち、ユーザがタッチパネル上でタッチ動作を行うとき、タッチ式端末は、まず、タッチパネルにおいて当該タッチ動作が接触始点から一定の距離をスライドしているか否かを判定し、そうでなければ、一切応答せず、そうであれば、スライドした距離が設定された閾値に達している、またはそれを超えているか否かをさらに判定する。スライドした距離が設定された閾値に達しているまたは超えていれば、スライドジェスチャーコマンドが形成され、また、スライドした距離が設定された閾値に達していなければ、一切応答しない。
【００３５】
また、本実施例において、前記接触始点とは、ユーザがタッチパネル上でタッチ動作を行う際の、タッチパネルにおける最初タッチ領域の中心点であり、例えば、最初タッチ領域が円形状であれば、対応した接触始点が円形状の最初タッチ領域における中心点である。
【００３６】
図２を参照して、本実施例において、タッチパネルを前記分割モジュール１２０により複数のタッチ領域に分けることは、具体的には、タッチパネルをＮ（Ｎ＝Ｎ１＊Ｎｗ）個のタッチ領域に分けることであり、ここで、Ｎｗ＝Ｓｗ／Ｒｗで、Ｎ１＝Ｓ１／Ｒ１であり、Ｓｗはスクリーンの幅を示し、Ｒｗはプロンプトボックスの幅を示し、Ｎｗはタッチパネル全体を上下方向に分けた領域の数を示すものであり、ＳｗをＲｗで割った整数がＮｗとなり、また、Ｓ１はスクリーンの長さを示し、Ｒ１はプロンプトボックスの長さを示し、Ｎ１はスクリーン全体を水平方向に分けた領域の数を示すものであり、Ｓ１をＲ１で割った整数がＮ１となる。ここで、タッチパネル座標系がＸＯＹであり、当該タッチパネルをＮ（Ｎ＝Ｎ１＊Ｎｗ）個の矩形状のタッチ領域に分けている。各タッチ領域は、一対の数字で示されることができ、例えば、タッチ領域Ｄが（ｘ，ｙ）で示されることができ、ここで、ｘ＞０且つｘ＜＝Ｎｗで、ｙ＞０且つｙ＜＝Ｎ１であり、例えば、タッチ領域Ｄ１が（１，１）で示され、タッチ領域Ｄ２が（１，２）で示され、タッチ領域Ｄｎが（Ｎ１，Ｎｗ）で示される。各タッチ領域における左上側の頂点の座標が（Ｒｗ（ｙー１），Ｒ１（Ｎ１−ｘ＋１））である。
【００３７】
本実施例において、スライドジェスチャーコマンドに対応した接触始点の座標点の分布するタッチ領域に基づいて、各タッチ領域に複数分布するスライドジェスチャーコマンドに対応した接触始点を算出する。
【００３８】
上記タッチ式端末１００の実施例において、前記統計モジュール１３０は、具体的には、さらに、コンピュータの起動後、スライドジェスチャーコマンドの受信回数Ｍを統計処理し、Ｍが設定された閾値Ｎよりも大きい場合、タッチパネルにおける最近Ｎ回にわたり受信したスライドジェスチャーコマンドに対応した接触始点が各タッチ領域に分布する回数を算出するように設けられていることが好ましい。
【００３９】
上記タッチ式端末１００の実施例において、前記統計モジュール１３０は、具体的には、さらに、コンピュータの起動後、スライドジェスチャーコマンドの受信回数Ｍを統計処理し、Ｍが設定された閾値Ｎ以下である場合、タッチパネルにおけるＭ回にわたり受信したスライドジェスチャーコマンドに対応した接触始点が各タッチ領域に分布する回数を算出するように設けられていることが好ましい。
【００４０】
上記タッチ式端末１００の実施例において、前記位置決めモジュール１４０は、さらに、タッチパネルにおけるＭ回にわたり受信したスライドジェスチャーコマンドに対応した接触始点は、各タッチ領域における分布回数が同一である場合、前記プロンプトボックスを元の位置に位置決めるように設けられていることが好ましい。
【００４１】
本実施例において、各タッチ領域に分布する、タッチパネルにおけるスライドジェスチャーコマンドに対応した接触始点が同一か異なっているものであり、異なっている場合、前記位置決めモジュール１４０は、プロンプトボックスを、タッチパネルにおける分布回数が最大のスライドジェスチャーコマンドに対応した接触始点のタッチ領域内に位置決めており、また、同一である場合、前記位置決めモジュール１４０は、前記プロンプトボックスを元の位置に位置決め、即ち、プロンプトボックスを元の位置に保持する。
【００４２】
本発明に提供したタッチ式端末１００に関する実施例によれば、プロンプトボックスのサイズに応じて、タッチパネルを複数のタッチ領域に分け、コンピュータの起動からプロンプトボックスが表示されるまでのスライドジェスチャーコマンドの受信回数Ｍを算出するとともに、タッチパネルにおけるＭ回にわたり受信したスライドジェスチャーコマンドに対応した接触始点が各タッチ領域に分布する回数を算出することにより、前記プロンプトボックスを、タッチパネルにおける分布回数が最大のスライドジェスチャーコマンドに対応した接触始点のタッチ領域内に位置決めるようにし、プロンプトボックスをタッチパネルにおけるタッチ対象領域に位置決めることができ、これにより、ユーザが、タッチスライド操作を行うとき、手首を起こす必要がなくなり、また、タッチ式端末の片手持ちに伴うタッチスライド操作を実現することができ、操作しやすく、ユーザの体験効果を大いに向上させる。
【００４３】
以上の実施例におけるタッチ式端末１００は、タッチ式スマートフォン、タブレットパソコン等であってよい。
【００４４】
以上は、あくまでも本発明の好適な実施例であり、本発明の特許保護範囲を限定することは意図していない。本発明の明細書及び図面に記載の内容を基にした均等の構成または均等の変更、或いは、他の関連技術分野への直接的または間接的応用は、同様に本発明の特許保護範囲内に含まれるものである。
【図１】
2016509327.tif 000003
【図２】
2016509327.tif 000004
【図３】
2016509327.tif 000005
【国際調査報告】
2016509327.tif 000006
2016509327.tif 000007
2016509327.tif 000008
2016509327.tif 000009